(57)【要約】【課題】着用者が正規に装着した状態で容易く脚部の裾丈を伸縮調整でき、しかも収縮状態から速やかに伸縮状態に復帰できるパンツを提供する。【解決手段】左右一対の脚部３と、胴部４と、前記胴部４に設けられた左右一対のポケット部７と、前記脚部の裾丈を伸縮調整する裾丈調整機構１０を備えたパンツであって、前記裾丈調整機構１０は、一端部が前記脚部の裾部から膝部に到る中間位置で各脚部の周方向に異なる吊上げ位置１１ａ，１１ｂに固定され、他端部が前記ポケット部７の内側生地に形成された紐挿通孔７ｈに抜止状態で挿通された紐１２と、前記紐１２を前記吊上げ位置１１ａ，１１ｂから前記ポケット部７まで生地面に沿って摺動可能に案内する案内部１３，１４と、を備えて構成され、前記吊上げ位置１１ａ，１１ｂから前記ポケット部７に到る前記紐１２の成す角度が１０度から４５度の範囲に設定されている。【選択図】図１
2019011522.tif 000002
【特許請求の範囲】
【請求項１】
左右一対の脚部と、胴部と、前記胴部に設けられた左右一対のポケット部と、前記脚部の裾丈を伸縮調整する裾丈調整機構を備えたパンツであって、
前記裾丈調整機構は、一端部が前記脚部の裾部から膝部に到る中間位置で各脚部の周方向に異なる吊上げ位置に固定され、他端部が前記ポケット部の内側生地に形成された紐挿通孔に抜止状態で挿通された紐と、前記紐を前記吊上げ位置から前記ポケット部まで生地面に沿って摺動可能に案内する案内部と、を備えて構成され、前記吊上げ位置から前記ポケット部に到る前記紐の成す角度が１０度から４５度の範囲に設定されているパンツ。
【請求項２】
前記吊上げ位置が前記脚部の内脚側と外脚側に設けられている請求項１記載のパンツ。
【請求項３】
各吊上げ位置に対応して前記ポケット部に前記紐挿通孔が一対形成され、各紐挿通孔間の離隔長さが１５ｍｍから１００ｍｍの範囲に設定されている請求項１または２記載のパンツ。
【請求項４】
前記脚部の裾丈が最大丈となる状態で、前記紐挿通孔から前記ポケット部の内側に延出する紐の長さが２０ｍｍ〜１１０ｍｍの範囲に設定されている請求項１から３の何れかに記載のパンツ。
【請求項５】
前記案内部が前記脚部を構成する身生地に接合されたサテン生地で構成され、前記サテン生地の光沢面が前記紐との接触面となるように、前記身生地に連続的または間欠的に接合されている請求項１から４の何れかに記載のパンツ。
【請求項６】
前記内脚側の吊上げ位置から前記紐挿通孔に前記紐を案内する前記案内部は、少なくとも膝部より上方を通るように前記脚部を構成する前身頃に接合されている請求項５記載のパンツ。
【請求項７】
前記外脚側の吊上げ位置から前記紐挿通孔に前記紐を案内する前記案内部は、
前記脚部を構成する前身頃と後身頃の接合部またはその前記接合部に隣接するように身生地に接合された筒状部で構成されている請求項５または６記載のパンツ。
【請求項８】
前記吊上げ位置から前記ポケット部までの間で、前記紐が前記案内部から露出する総延長が０ｍｍから１５０ｍｍの範囲に設定されている請求項５から７の何れかに記載のパンツ。
【請求項９】
前記紐は、両端部が前記吊上げ位置に固定された一本の紐で構成されている請求項１から８の何れかに記載のパンツ。
【発明の詳細な説明】
【技術分野】
【０００１】
本発明は、男女を問わず適用可能な下半身用寝衣や下半身用外衣であるパンツに関し、詳述すると、左右一対の脚部と、胴部と、前記胴部に設けられた左右一対のポケット部と、前記脚部の裾丈を伸縮調整する裾丈調整機構を備えたパンツに関する。
【背景技術】
【０００２】
特許文献１には、簡単な操作で確実に下半身用外衣の裾汚れを防止できる裾汚れ防止セットを備えた下半身用外衣が提案されている。
【０００３】
当該下半身用外衣は、左右に内股縫目を有する下半身用外衣の裾部の汚れを防止する下半身用外衣において、該下半身用外衣の裏側における左右の内股縫目に沿って紐体が設けられ、前記紐体は、少なくとも一部が、左右の内股縫目に沿って設けられた連続的又は間欠的通路を構成するパイピングに挿通され、該紐体の一端は、裾部乃至膝部の一部に止着され、該紐体の他端は、少なくとも股部にまで達し、その端部が下半身用外衣の裏側に露出しており、前記他端側の露出紐体を引くと、前記一端側の紐体が止着された止着部が引っ張られることで、左右の裾部が引き上げられ、地面や床への接触による裾部の汚れを防止する構成であることを特徴とする裾汚れ防止可能な下半身用外衣である。
【０００４】
例えば、トイレで用を足す場合に、当該下半身用外衣を股の辺りまで下げた後、露出紐体を引くことにより止着部２が引っ張られて裾部が引き上げられ、この裾部が引き上げられた状態を維持しつつ、便座に腰を下ろして用を足すことで、裾部がトイレの床面等に接触することがなく、裾部が汚れることを防止することができる。
【先行技術文献】
【特許文献】
【０００５】
【特許文献１】実用新案登録第３１７９３３８号公報
【発明の概要】
【発明が解決しようとする課題】
【０００６】
しかし、上述した下半身用外衣は、下半身用外衣を股の辺りまで下げた後に、下半身用外衣の左右の内股縫目に沿って設けられた紐体を引き上げるという手順が要求され、装着した状態から下半身用外衣を下げずに裾を引き上げる必要がある場合に対応できないという問題があった。例えば、風呂掃除などで裾部の水濡れを回避するために裾を上げる必要がある場合に、わざわざ裾を折り返さなければならなかった。
【０００７】
また、紐体を引き上げる際に、内股とは反対側の外脚部の生地が肌と接して発生する摩擦力によって裾部の引き上げが妨げられ、膝を曲げた姿勢であれば、前身頃の生地が膝と接して発生する摩擦力によって同様に裾部の引き上げが妨げられ、円滑に裾部を引き上げることができないという問題があった。
【０００８】
さらに、裾部を引き上げる際に内股のみに身生地の収縮皺ができるため、その後に元の伸長状態に自然に復帰させることができず、裾部を指で摘まんで引き下げ操作するなどの煩雑な操作が必要であった。
【０００９】
本発明の目的は、上述した問題点に鑑み、着用者が正規に装着した状態で容易く脚部の裾丈を伸縮調整でき、しかも収縮状態から速やかに伸縮状態に復帰できるパンツを提供する点にある。
【課題を解決するための手段】
【００１０】
上述の目的を達成するため、本発明によるパンツの第一の特徴構成は、特許請求の範囲の書類の請求項１に記載した通り、左右一対の脚部と、胴部と、前記胴部に設けられた左右一対のポケット部と、前記脚部の裾丈を伸縮調整する裾丈調整機構を備えたパンツであって、前記裾丈調整機構は、一端部が前記脚部の裾部から膝部に到る中間位置で各脚部の周方向に異なる吊上げ位置に固定され、他端部が前記ポケット部の内側生地に形成された紐挿通孔に抜止状態で挿通された紐と、前記紐を前記吊上げ位置から前記ポケット部まで生地面に沿って摺動可能に案内する案内部と、を備えて構成され、前記吊上げ位置から前記ポケット部に到る前記紐の成す角度が１０度から４５度の範囲に設定されている点にある。
【００１１】
着用者が左右のポケット部に手を入れて紐挿通孔から延出した紐を掴んで引き上げ操作すると、各脚部の周方向に異なる吊上げ位置に紐による吊上力が働く。その際、吊上げ位置からポケット部に到る紐の成す角度が１０度から４５度の範囲に設定されていれば、着用者の肌との摩擦力が軽減された状態で各吊上げ位置から身生地が上方に収縮し、紐を開放すれば速やかに伸張するようになる。
【００１２】
同第二の特徴構成は、同請求項２に記載した通り、上述の第一の特徴構成に加えて、前記吊上げ位置が前記脚部の内脚側と外脚側に設けられている点にある。
【００１３】
着用者の膝が多少屈曲姿勢となっていても、脚部の内脚側と外脚側に設けた吊上げ位置に紐による吊上力が均等に働き、着用者の膝との摩擦力が軽減された状態で各吊上げ位置から身生地が上方に容易く収縮するようになる。
【００１４】
同第三の特徴構成は、同請求項２に記載した通り、上述の第一または第二の特徴構成に加えて、各吊上げ位置に対応して前記ポケット部に前記紐挿通孔が一対形成され、各紐挿通孔間の離隔長さが１５ｍｍから１００ｍｍの範囲に設定されている点にある。
【００１５】
着用者がポケット部に手を入れて紐挿通孔から延出した紐を掴んで引き上げ操作する際に、紐挿通孔間の離隔長さが１５ｍｍから１００ｍｍの範囲に設定されていれば、ポケット部の生地と紐との間に形成される隙間に速やかに指を挿入して紐を掴むことができるようになる。
【００１６】
同第四の特徴構成は、同請求項４に記載した通り、上述の第一から第三の何れかの特徴構成に加えて、前記脚部の裾丈が最大丈となる状態で、前記紐挿通孔から前記ポケット部の内側に延出する紐の長さが２０ｍｍ〜１１０ｍｍの範囲に設定されている点にある。
【００１７】
着用者がポケット部に手を入れて紐挿通孔から延出した紐を掴んで引き上げ操作する際に、ポケット部の内側に延出する紐の長さが２０ｍｍ〜１１０ｍｍの範囲に設定されていれば、ポケット部の生地と紐との間に形成される隙間に速やかに指を挿入して紐を掴むことができるようになる。また、脚部の裾丈が最大丈となる状態でポケット部の内側に延出する紐の長さがこの程度であるなら、ポケット部が紐で大きく膨らむようなこともなく、またポケット部にいれた手拭等を取り出す際に紐が引っ掛かるようなこともない。
【００１８】
同第五の特徴構成は、同請求項５に記載した通り、上述の第一から第四の何れかの特徴構成に加えて、前記案内部が前記脚部を構成する身生地に接合されたサテン生地で構成され、前記サテン生地の光沢面が前記紐との接触面となるように、前記身生地に連続的または間欠的に接合されている点にある。
【００１９】
紐を引上げ操作する際に紐と案内部との間に摺動抵抗が発生するが、案内部がサテン生地で構成され、サテン生地の光沢面が紐との接触面となるように構成されていれば、紐との間の摩擦力が低くなり、脚部を容易に引上げ操作でき、また紐を開放したときに脚部が容易に伸張するようになる。
【００２０】
同第六の特徴構成は、同請求項６に記載した通り、上述の第五の特徴構成に加えて、前記内脚側の吊上げ位置から前記紐挿通孔に前記紐を案内する前記案内部は、少なくとも膝部より上方を通るように前記脚部を構成する前身頃に接合されている点にある。
【００２１】
内脚側の吊上げ位置から膝部前側で膝部上方を通るようにして紐がポケット部に略直線状に導かれるので、引上げ操作時に不要な抵抗力が作用することがなく、また着用者の膝が多少屈曲していても抵抗なく紐を引上げることができるようになる。
【００２２】
同第七の特徴構成は、同請求項７に記載した通り、上述の第五または第六の特徴構成に加えて、前記外脚側の吊上げ位置から前記紐挿通孔に前記紐を案内する前記案内部は、前記脚部を構成する前身頃と後身頃の接合部またはその前記接合部に隣接するように身生地に接合された筒状部で構成されている点にある。
【００２３】
筒状部で紐が覆われるので、より摩擦力が小さくなり、前身頃と後身頃の直線状の接合部に沿って際された筒状部を経由して紐がポケット部に導かれるので、容易く紐を引上げることができる。また、筒状部を前身頃と後身頃の直線状の接合部と一体に接合することもできる。
【００２４】
同第八の特徴構成は、同請求項８に記載した通り、上述の第五から第七の何れかの特徴構成に加えて、前記吊上げ位置から前記ポケット部までの間で、前記紐が前記案内部から露出する総延長が０ｍｍから１５０ｍｍの範囲に設定されている点にある。
【００２５】
紐の引上げ操作時に着用者の肌面に違和感を与えるようなことがない。
【００２６】
同第九の特徴構成は、同請求項９に記載した通り、上述の第一から第八の何れかの特徴構成に加えて、前記紐は、両端部が前記吊上げ位置に固定された一本の紐で構成されている点にある。
【００２７】
ポケット部内部で紐が一体となり、紐同士の結び目がないので、収まりが良い。
【発明の効果】
【００２８】
以上説明した通り、本発明によれば、着用者が正規に装着した状態で容易く脚部の裾丈を伸縮調整でき、しかも収縮状態から速やかに伸縮状態に復帰できるパンツを提供することができるようになった。
【図面の簡単な説明】
【００２９】
【図１】本発明によるパンツの一例である男性用の下半身用寝衣の裏面の正面図
【図２】同表面の正面図
【図３】裾部の引上げ操作を開始した直後の説明図
【図４】裾部の引上げ操作が完了し、裾部が引き上げられた状態の説明図
【発明を実施するための形態】
【００３０】
以下、本発明によるパンツを男性用の下半身用寝衣に適用した例を説明する。
図１には、男性用の下半身用寝衣１（以下、単に「パンツ１」と記す。）の裏面が示され、図２には、同表面が示されている。当該寝衣１は、身生地２が綿糸、或いは綿糸とポリウレタン糸を交編したフライス編地やスムース編地で構成され、前身頃及び後身頃を内脚側Ｉと外脚側Ｏのそれぞれの端縁同士で縫着して、左右一対の脚部３（３Ｌ，３Ｒ）と、胴部４が構成されている。
【００３１】
胴部４の開口となる胴口４ａはパイピング処理がなされて、腰ゴムが挿入され、前身頃の前打合せ５に縦長の排尿用の開口６が形成されている。左右の脚部３（３Ｌ，３Ｒ）の下端部は上方に折り返されて縫着処理された裾部８（８Ｌ，８Ｒ）が構成されている。さらに、胴部４の左右には、身生地と同じ編地で構成された左右一対のポケット部７（７Ｌ，７Ｒ）が設けられている。
【００３２】
当該パンツ１には、脚部３（３Ｌ，３Ｒ）の裾丈を伸縮調整する裾丈調整機構１０が設けられている。裾丈調整機構１０は、一端部が脚部３（３Ｌ，３Ｒ）の裾部８（８Ｌ，８Ｒ）から膝部９（９Ｌ，９Ｒ）に到る中間位置で各脚部３（３Ｌ，３Ｒ）の周方向に異なる吊上げ位置１１ａ，１１ｂに固定され、他端部がポケット部７（７Ｌ，７Ｒ）の内側生地に形成された一対の紐挿通孔７ｈに抜止状態で挿通された紐１２と、紐１２を吊上げ位置１１ａ，１１ｂからポケット部７（７Ｌ，７Ｒ）まで生地面に沿って摺動可能に案内する案内部１３，１４と、を備えて構成されている。
【００３３】
そして、吊上げ位置１１ａ，１１ｂが脚部３（３Ｌ，３Ｒ）の内脚側Ｉと外脚側Ｏに設けられ、吊上げ位置１１ａ，１１ｂからポケット部７（７Ｌ，７Ｒ）に到る紐１２の成す角度θが１０度から４５度の範囲、好ましくは１５度から２５度の範囲、本実施形態では約２０度に設定されている。
【００３４】
なお、吊上げ位置１１ａ，１１ｂは、脚部３（３Ｌ，３Ｒ）の裾部８（８Ｌ，８Ｒ）から膝部９（９Ｌ，９Ｒ）に到る中間の任意の位置で、各脚部３（３Ｌ，３Ｒ）の周方向に異なる任意の位置であればよい。
【００３５】
紐１２を引上げ操作することで裾部８（８Ｌ，８Ｒ）を容易に引き上げることができ、しかも引上げ操作した紐１２を開放することにより裾部８（８Ｌ，８Ｒ）が容易に元の位置に戻るという伸縮性を考慮すると、吊上げ位置１１ａ，１１ｂは膝部９（９Ｌ，９Ｒ）の近傍位置が好ましく、また周方向への離隔距離が長いほど好ましい。
【００３６】
着用者が左右のポケット部７（７Ｌ，７Ｒ）に手を入れて紐挿通孔７ｈから延出した紐１２を掴んで引き上げ操作すると、各脚部３（３Ｌ，３Ｒ）の周方向に異なる吊上げ位置１１ａ，１１ｂに紐１２による吊上力が働く。その際、吊上げ位置１１ａ，１１ｂからポケット部７（７Ｌ，７Ｒ）に到る紐２の成す角度が１０度から４５度の範囲に設定されていれば、着用者の肌との摩擦力が軽減された状態で各吊上げ位置１１ａ，１１ｂから身生地２が上方に収縮し、紐１２を開放すれば速やかに伸張するようになる。
【００３７】
さらに、吊上げ位置１１ａ，１１ｂが脚部３（３Ｌ，３Ｒ）の内脚側Ｉと外脚側Ｏに設けられていると、着用者の膝が多少屈曲姿勢となっていても、脚部３（３Ｌ，３Ｒ）の内脚側Ｉと外脚側Ｏに設けた吊上げ位置１１ａ，１１ｂに紐１２による吊上力が均等に働き、着用者の膝との摩擦力が軽減された状態で各吊上げ位置から身生地が上方に容易く収縮するようになる。
【００３８】
図３には、着用者が左右のポケット部７（７Ｌ，７Ｒ）に手を入れて紐挿通孔７ｈから延出した紐１２を掴んで僅かに引き上げ操作した状態が示されている。吊上げ位置１１ａ，１１ｂが僅かに上方に持ち上がり、案内部１３，１４に沿って収縮した状態が良くわかる。
【００３９】
図４には、さらに紐１２を掴んで大きく引き上げ操作した状態が示されている。吊上げ位置１１ａ，１１ｂが僅かに上方に持ち上がり、案内部１３，１４に沿って大きく収縮した状態が良くわかる。この様な状態で例えば紐１２の端部を結び付け、或いは胴部４に挟み込むことによりその収縮状態が維持される。この様な状態で例えば浴槽の洗浄作業などを行なっても、裾部８（８Ｌ，８Ｒ）に水しぶきや洗剤が付着するようなことがなくなる。
【００４０】
また、トイレを使用する場合でも、十分に裾部８（８Ｌ，８Ｒ）を引き上げた後にパンツ１を引き下げればよく、操作性が著しく向上する。
【００４１】
尚、何れの場合でも、引上げ操作した紐１２を開放することにより脚部３（３Ｌ，３Ｒ）の自重により、自然に伸張状態に復帰するようになる。
【００４２】
各吊上げ位置１１ａ，１１ｂに対応してポケット部７（７Ｌ，７Ｒ）に一対形成された紐挿通孔７ｈ同士の離隔長さが１５ｍｍから１００ｍｍの範囲に設定されている。当該範囲は２０ｍｍから５０ｍｍの範囲に設定されていることがより好ましく、本実施形態では４０ｍｍに設定されている。
【００４３】
着用者がポケット部に手を入れて紐挿通孔から延出した紐を掴んで引き上げ操作する際に、紐挿通孔間の離隔長さが上述の範囲に設定されていれば、ポケット部の生地と紐との間に形成される隙間に速やかに指を挿入して紐を掴むことができるようになる。
【００４４】
また、脚部３（３Ｌ，３Ｒ）の裾丈が最大丈となる状態で、紐挿通孔からポケット部の内側に延出する紐の長さが２０ｍｍ〜１１０ｍｍの範囲に設定されている。当該範囲は２５ｍｍから６０ｍｍの範囲に設定されていることがより好ましく、本実施形態では５０ｍｍに設定されている。
【００４５】
着用者がポケット部７（７Ｌ，７Ｒ）に手を入れて紐挿通孔７ｈから延出した紐１２を掴んで引き上げ操作する際に、ポケット部７（７Ｌ，７Ｒ）の内側に延出する紐１２の長さがこのような範囲に設定されていれば、ポケット部７（７Ｌ，７Ｒ）の生地と紐１２との間に形成される隙間に速やかに指を挿入して紐１２を掴むことができるようになる。
【００４６】
また、脚部３（３Ｌ，３Ｒ）の裾丈が最大丈となる状態でポケット部７（７Ｌ，７Ｒ）の内側に延出する紐１２の長さがこの程度であるなら、ポケット部７（７Ｌ，７Ｒ）が紐１２で大きく膨らむようなこともなく、またポケット部７（７Ｌ，７Ｒ）にいれた手拭等を取り出す際に紐１２が引っ掛かるようなこともない。
【００４７】
案内部１３，１４が脚部３（３Ｌ，３Ｒ）を構成する身生地に接合されたサテン生地で構成され、サテン生地の光沢面が紐１２との接触面となるように、身生地に連続的または間欠的に接合されている。
【００４８】
紐１２を引上げ操作する際に紐１２と案内部１３，１４との間に摺動抵抗（摩擦抵抗）が発生するが、案内部１３，１４がサテン生地（朱子織生地）で構成され、サテン生地の光沢面（滑らかな面）が紐１２との接触面となるように構成されていれば、紐１２との間の摩擦力が低くなり、脚部３（３Ｌ，３Ｒ）を容易に引上げ操作でき、また紐１２を開放したときに脚部３（３Ｌ，３Ｒ）が容易に伸張するようになる。サテン生地に用いられる糸種としてポリエステル糸やレーヨン糸が好適に用いられる。
【００４９】
内脚側Ｉの吊上げ位置１１ｂから紐挿通孔７ｈに紐１２を案内する案内部１４は、少なくとも膝部９（９Ｌ，９Ｒ）より上方を通るように脚部３（３Ｌ，３Ｒ）を構成する前身頃に接合されている。
【００５０】
内脚側Ｉの吊上げ位置１１ｂから着用者の膝部の前側で膝部上方を通るようにして紐１２がポケット部７（７Ｌ，７Ｒ）に略直線状に導かれるので、引上げ操作時に不要な抵抗力が作用することがなく、また着用者の膝が多少屈曲していても抵抗なく紐を引上げることができるようになる。
【００５１】
図では、案内部１４は略直線状に表されているが、多少は上方に凸となるように湾曲していてもよい。僅かに膝を曲げた状態でも円滑に引き上げることができる。なお、案内部１４は、身生地の肌側に紐１２の径路となるように帯状に配置して左右両端部を身生地に接合することにより、少なくとも紐１２の案内部１４側がサテン生地の光沢面と接するように構成されていればよい。後述する案内部１３のように筒状部に構成すると、肌側に突出して着心地の悪化を招くことになるからである。ただし、身生地の肌側に紐１２の径路となるように、サテン生地の光沢面同士が対向するように二重に帯状に配置して左右両端部を身生地に接合してもよい。
【００５２】
外脚側Ｏの吊上げ位置１１ａから紐挿通孔７ｈに紐１３を案内する案内部１３は、脚部３（３Ｌ，３Ｒ）を構成する前身頃と後身頃の接合部Ｏまたはその接合部Ｏに隣接するように身生地に接合された筒状部で構成することが好ましく、本実施形態では、筒状部が接合部Ｏと一体に接合されている。紐１２の全周が光沢面（滑らかな面）で覆われるので、より摩擦力が小さくなり、前身頃と後身頃の直線状の接合部に沿って際された筒状部を経由して紐がポケット部に導かれるので、容易く紐１２を引上げることができる。
【００５３】
尚、本実施形態では、生地と生地を一体に固定する処理を「接合」と表現するが、「接合」との表現は糸を用いて生地同士を縫着する処理、熱可塑性の接着剤などを用いて接着する処理などを含む概念として用いている。
【００５４】
吊上げ位置１１ａ，１１ｂからポケット部７（７Ｌ，７Ｒ）までの間で、紐１２が案内部１３，１４から露出する総延長が０ｍｍから１５０ｍｍの範囲に設定されていることが好ましく、総延長が０ｍｍから１００ｍｍの範囲に設定されていることがより好ましい。この様な範囲であると、紐１２の引上げ操作時に着用者の肌面に違和感を与えるようなことがない。
【００５５】
本実施形態では、紐１２は両端部が吊上げ位置１１ａ，１１ｂに固定された一本の紐１２で構成されているので、ポケット部７（７Ｌ，７Ｒ）の内部で紐１２同士の結び目がない一体に構成されているため、収まりが良い。
【００５６】
なお、左右の裾丈調整機構１０のそれぞれに一対の紐１２を用いて、ポケット部７（７Ｌ，７Ｒ）の内部で端部同士を結び合わせてもよい。なお、紐１２としてポリエステル糸を使用したスピンドル紐が好適に用いられるが、このような紐に限るものではない。
【００５７】
上述した実施形態では、案内部１３，１４がサテン生地で構成された例を説明したが、案内部１３，１４をブロード生地（平織生地）で構成してもよい。ブロード生地は、経糸と緯糸を交互に織るため、かたく織り上がり摩擦に強く丈夫であるという特性がある。
【００５８】
上述した実施形態では、身生地が編地で構成された例を説明したが、編地を構成する糸種は特に限定されるものではない。また、身生地として編地に代えて織地を用いてもよい。
【００５９】
上述した実施形態では、パンツとして紳士用の下半身用寝衣を例に説明したが、本発明は婦人用或いは子供用の下半身用寝衣にも適用可能であり、さらには丈が長く裾幅の広い外衣であるパンツにも適用可能である。
【００６０】
上述した複数の寝衣は、何れも本発明の一例であり、該記載により本発明の範囲が限定されることはなく、各部の具体的構成（生地を構成する織地の種類、糸種、繊度等）は本発明の作用効果が奏される範囲で適宜変更設計可能であることはいうまでもない。
【産業上の利用可能性】
【００６１】
本発明は、着用者が正規に装着した状態で容易く脚部の裾丈を伸縮調整でき、しかも収縮状態から速やかに伸縮状態に復帰できるパンツとして、好適に使用できる。
【符号の説明】
【００６２】
１：パンツ
２：身生地
３：脚部
４：胴部
７：ポケット部
７ｈ：紐挿通孔
８：裾部
９：膝部
１０：裾丈調整機構
１１ａ，１１ｂ：吊上げ位置
１２：紐
１３，１４：案内部
【図１】
2019011522.tif 000003
【図２】
2019011522.tif 000004
【図３】
2019011522.tif 000005
【図４】
2019011522.tif 000006